(57)【要約】【課題】内視鏡の観察窓の洗浄や観察目標部に多量に溜まっている体液の吸引除去等を優れた操作性で容易に行うことができ、さらに、シースが破損した場合に経済的に対処することができる内視鏡用シース装置を提供すること。【解決手段】連結アダプタ部２２に少なくとも吸引口金２３が設けられて、シース部２１が連結アダプタ部２２に対し軸線方向に可動に構成されると共に、シース部２１を連結アダプタ部２２に対し軸線方向に進退操作するための操作レバー４０が連結アダプタ部２２に設けられ、連結アダプタ部２２が内視鏡１０の操作部１２に連結された状態で、操作レバー４０を操作することによって、シース部２１の先端面２１ａが内視鏡１０の挿入管部１１の先端面１１ａより前方に位置する状態と後方に位置する状態とを選択することができる。【選択図】      図１
2010259609.tif 000002
【特許請求の範囲】
【請求項１】
挿入管部の先端面に観察窓が配置されて上記挿入管部の基端に操作部が連結された構成を有する内視鏡に着脱自在に取り付けられる内視鏡用シース装置であって、上記挿入管部に緩く被嵌されるシース部の基端に、上記操作部に対し係脱自在に連結される連結アダプタ部が取り付けられた内視鏡用シース装置において、
上記連結アダプタ部に少なくとも吸引口金が設けられて、上記シース部が上記連結アダプタ部に対し軸線方向に可動に構成されると共に、
上記シース部を上記連結アダプタ部に対し軸線方向に進退操作するための操作レバーが上記連結アダプタ部に設けられ、
上記連結アダプタ部が上記内視鏡の操作部に連結された状態で、上記操作レバーを操作することによって、上記シース部の先端面が上記内視鏡の挿入管部の先端面より前方に位置する状態と後方に位置する状態とを選択することができることを特徴とする内視鏡用シース装置。
【請求項２】
上記シース部の先端側の部分が可撓管で形成されている請求項１記載の内視鏡用シース装置。
【請求項３】
上記操作部からの遠隔操作により屈曲する湾曲部が上記内視鏡の挿入管部の先端付近に設けられていて、上記可撓管が、上記湾曲部の屈曲動作に追従して屈曲するように、上記シース部のうち少なくとも上記湾曲部に被嵌される部分に形成されている請求項２記載の内視鏡用シース装置。
【請求項４】
上記可撓管が真っ直ぐな状態及び屈曲した状態のいずれの場合においても、上記操作レバーを操作することによって、上記シース部の先端面が上記内視鏡の挿入管部の先端面より前方に位置する状態と後方に位置する状態とを選択することができる請求項２又は３記載の内視鏡用シース装置。
【請求項５】
上記シース部のうち上記可撓管以外の部分が硬質パイプで形成されている請求項２ないし４のいずれかの項に記載の内視鏡用シース装置。
【請求項６】
上記シース部の先端面が、上記挿入管部の先端面の後方側に比べて前方側に大きく移動できるように構成されている請求項１ないし５のいずれかの項に記載の内視鏡用シース装置。
【請求項７】
上記シース部の先端面が上記挿入管部の先端面の前方側に移動した時、上記観察窓を通して得られる内視鏡観察像の周辺部分が上記シース部によって遮られる状態になる請求項１ないし６のいずれかの項に記載の内視鏡用シース装置。
【請求項８】
上記シース部の先端縁が径方向に窄まった形状に形成されている請求項１ないし５のいずれかの項に記載の内視鏡用シース装置。
【請求項９】
上記シース部の基端が上記連結アダプタ部に対し着脱自在に取り付けられている請求項１ないし８のいずれかの項に記載の内視鏡用シース装置。
【請求項１０】
上記シース部の基端が着脱自在に取り付けられるシース取付筒体が軸線方向に可動に上記連結アダプタ部に設けられていて、上記シース取付筒体に取り付けられた上記シース部が上記シース取付筒体と共に軸線方向に可動である請求項９記載の内視鏡用シース装置。
【請求項１１】
上記連結アダプタにおける上記シース取付筒体の軸線方向移動範囲を規制するストッパ手段が設けられている請求項１０記載の内視鏡用シース装置。
【請求項１２】
上記シース取付筒体が、上記連結アダプタ部に形成されている受け孔にスライド自在に嵌合していて、その嵌合部に弾力性のあるＯリングが装着されている請求項１０又は１１記載の内視鏡用シース装置。
【請求項１３】
上記シース取付筒体が上記操作レバーにより軸線方向に駆動操作される請求項１０、１１又は１２記載の内視鏡用シース装置。
【請求項１４】
上記操作レバーが、支軸を中心に回動自在にピストルの引き金状に上記連結アダプタに取り付けられて、上記操作レバーを待機位置に戻すための付勢手段が設けられている請求項１ないし１３のいずれかの項に記載の内視鏡用シース装置。
【請求項１５】
上記操作レバーが上記待機状態にある時は、上記シース部が軸線方向可動範囲の後端位置にあり、上記操作レバーが上記付勢手段の付勢力に抗して回動操作されると、上記シース部が軸線方向可動範囲の前方方向に移動する請求項１４記載の内視鏡用シース装置。
【発明の詳細な説明】
【技術分野】
【０００１】
この発明は内視鏡用シース装置に関する。
【背景技術】
【０００２】
挿入管部が金属パイプ等で形成されている硬性鏡は多くの場合、観察手段と照明手段だけが挿入管部内に挿通配置されている。そして、使用時には、挿入管部にシースが緩く被嵌されて、挿入管部の外面とシースの内面との間に形成される通路が、送水や吸引のための流路として用いられる。
【０００３】
そのような構成を採ることにより、送水と吸引を同時に連続的に行って、観察窓の表面等を洗い流しながら観察することで解像度の高い観察画像を得ることができる。遠隔操作により先端部分を屈曲させることができる湾曲部付硬性鏡や軟性鏡等でも、同様の構成を採るものがある（例えば、特許文献１、２）。
【先行技術文献】
【特許文献】
【０００４】
【特許文献１】特開平７−２７５１８５
【特許文献２】特開２００１−１９８０７７
【発明の概要】
【発明が解決しようとする課題】
【０００５】
そのような内視鏡の挿入管部もシースも単純な筒状体なので、シースをそれだけで挿入管部に安定した状態に取り付けることは難しい。そこで、シースの基端部に連結アダプタ部を取り付けて、連結アダプタ部を内視鏡の操作部に機械的にしっかりと連結する構成が採られている。
【０００６】
そして、連結アダプタ部が内視鏡の操作部に連結された状態では、内視鏡の挿入管部に被嵌されたシースの先端面が、挿入管部の先端面より僅かに突出した状態を維持するようになっている。観察窓の表面を洗浄するのに都合がよいからである。
【０００７】
しかし、シースの先端面が挿入管部の先端面より僅かに突出した状態では、観察目標部が多量の体液中に潜ってしまっている場合等に、汚液や体液等を効果的に吸引除去することができない場合がある。
【０００８】
また、構成が単純なシースよりも連結アダプタ部の方がコストのかかった部品であるが、シースが損傷するとそれと一体の連結アダプタ部も一緒に交換する必要があり、極めて不経済であった。
【０００９】
本発明は、内視鏡の観察窓の洗浄や観察目標部に多量に溜まっている体液の吸引除去等を優れた操作性で容易に行うことができ、さらに、シースが破損した場合に経済的に対処することができる内視鏡用シース装置を提供することを目的とする。
【課題を解決するための手段】
【００１０】
上記の目的を達成するため、本発明の内視鏡用シース装置は、挿入管部の先端面に観察窓が配置されて挿入管部の基端に操作部が連結された構成を有する内視鏡に着脱自在に取り付けられる内視鏡用シース装置であって、挿入管部に緩く被嵌されるシース部の基端に、操作部に対し係脱自在に連結される連結アダプタ部が取り付けられた内視鏡用シース装置において、連結アダプタ部に少なくとも吸引口金が設けられて、シース部が連結アダプタ部に対し軸線方向に可動に構成されると共に、シース部を連結アダプタ部に対し軸線方向に進退操作するための操作レバーが連結アダプタ部に設けられ、連結アダプタ部が内視鏡の操作部に連結された状態で、操作レバーを操作することによって、シース部の先端面が内視鏡の挿入管部の先端面より前方に位置する状態と後方に位置する状態とを選択することができるようにしたものである。
【００１１】
なお、シース部の先端側の部分が可撓管で形成されていてもよく、操作部からの遠隔操作により屈曲する湾曲部が内視鏡の挿入管部の先端付近に設けられていて、可撓管が、湾曲部の屈曲動作に追従して屈曲するように、シース部のうち少なくとも湾曲部に被嵌される部分に形成されていてもよい。
【００１２】
また、可撓管が真っ直ぐな状態及び屈曲した状態のいずれの場合においても、操作レバーを操作することによって、シース部の先端面が内視鏡の挿入管部の先端面より前方に位置する状態と後方に位置する状態とを選択することができるようにするとよく、シース部のうち可撓管以外の部分が硬質パイプで形成されていてもよい。
【００１３】
また、シース部の先端面が、挿入管部の先端面の後方側に比べて前方側に大きく移動できるように構成されていてもよく、シース部の先端面が挿入管部の先端面の前方側に移動した時、観察窓を通して得られる内視鏡観察像の周辺部分がシース部によって遮られる状態になるようにしてもよい。
【００１４】
また、シース部の先端縁が径方向に窄まった形状に形成されていてもよく、シース部の基端が連結アダプタ部に対し着脱自在に取り付けられていてもよい。そして、シース部の基端が着脱自在に取り付けられるシース取付筒体が軸線方向に可動に連結アダプタ部に設けられていて、シース取付筒体に取り付けられたシース部がシース取付筒体と共に軸線方向に可動であってもよい。
【００１５】
そして、連結アダプタにおけるシース取付筒体の軸線方向移動範囲を規制するストッパ手段が設けられていてもよく、シース取付筒体が、連結アダプタ部に形成されている受け孔にスライド自在に嵌合していて、その嵌合部に弾力性のあるＯリングが装着されていてもよい。なお、シース取付筒体が操作レバーにより軸線方向に駆動操作されるようにするとよい。
【００１６】
また、操作レバーが、支軸を中心に回動自在にピストルの引き金状に連結アダプタに取り付けられて、操作レバーを待機位置に戻すための付勢手段が設けられていてもよく、操作レバーが待機状態にある時は、シース部が軸線方向可動範囲の後端位置にあり、操作レバーが付勢手段の付勢力に抗して回動操作されると、シース部が軸線方向可動範囲の前方方向に移動するようにしてもよい。
【発明の効果】
【００１７】
本発明によれば、シース部が連結アダプタ部に対し軸線方向に可動に構成され、連結アダプタに設けられた操作レバーを操作することによりシース部を進退させて、シース部の先端面が内視鏡の挿入管部の先端面より前方に位置する状態と後方に位置する状態とを選択することができるので、内視鏡の観察窓の洗浄や観察目標部に多量に溜まっている体液の吸引除去等を優れた操作性で容易に行うことができ、さらに、シース部の基端を連結アダプタ部に対し着脱自在に取り付けることにより、シースが破損した場合でも操作レバー等が設けられている連結アダプタ部は再使用することができるので、経済的に対処することができる。
【図面の簡単な説明】
【００１８】
【図１】本発明の第１の実施例に係る内視鏡用シース装置が内視鏡に取り付けられた状態の側面断面図である。
【図２】本発明の第１の実施例に係る内視鏡用シース装置が内視鏡に取り付けられた状態（スライド状態）の側面断面図である。
【図３】本発明の第１の実施例に係る内視鏡用シース装置と内視鏡が並べられた状態の側面図である。
【図４】本発明の第１の実施例に係る内視鏡用シース装置が内視鏡に取り付けられた状態の側面図である。
【図５】本発明の第１の実施例に係る内視鏡用シース装置と内視鏡が各々部分的に分解された状態の側面図である。
【図６】本発明の第１の実施例に係る内視鏡用シース装置の側面断面図である。
【図７】本発明の第１の実施例に係る内視鏡用シース装置の部分拡大断面図である。
【図８】本発明の第１の実施例に係る内視鏡用シース装置の側面部分断面図である。
【図９】本発明の第１の実施例に係る内視鏡用シース装置においてシース部が連結アダプタ部から分離された状態の側面断面図である。
【図１０】本発明の第１の実施例に係る内視鏡用シース装置が内視鏡に取り付けられる際の状態の部分斜視図である。
【図１１】本発明の第１の実施例に係る内視鏡用シース装置が内視鏡に取り付けられた状態の先端部分の正面図である。
【図１２】本発明の第１の実施例に係る内視鏡用シース装置が内視鏡に取り付けられてスライド範囲の両端にある状態を並べて示す先端部分の側面断面図である。
【図１３】本発明の第１の実施例に係る内視鏡用シース装置が内視鏡に取り付けられて屈曲した状態でスライド範囲の両端にある状態を並べて示す先端部分の側面断面図である。
【図１４】本発明の第１の実施例に係る内視鏡用シース装置の使用状態を示す略示図である。
【図１５】本発明の第１の実施例に係る内視鏡用シース装置の使用状態を示す略示図である。
【図１６】本発明の第１の実施例に係る内視鏡用シース装置の使用状態を示す略示図である。
【図１７】本発明の第１の実施例に係る内視鏡用シース装置の使用状態を示す略示図である。
【図１８】本発明の第１の実施例に係る内視鏡用シース装置の使用状態を示す略示図である。
【図１９】本発明の第２の実施例に係る内視鏡用シース装置の先端部分を示す側面断面図である。
【発明を実施するための形態】
【００１９】
以下、図面を参照して本発明の実施例を説明する。
図３には、内視鏡１０とシース装置２０とが並べて図示されている。
内視鏡１０は、挿入管部１１の基端に操作部１２が連結され、挿入管部１１の先端面１１ａに観察窓１１Ｖと照明窓１１Ｌが配置された構成を有している（図１１参照）。
【００２０】
挿入管部１１は、硬質部１１Ｈの先端に湾曲部１１Ｂが真っ直ぐに連結されたものであり、硬質部１１Ｈは硬質のステンレスパイプ等で外装されている。１４は、挿入管部１１の基端部を囲んで着脱自在に取り付けられたカバー環である。
【００２１】
湾曲部１１Ｂは、操作部１２に配置された湾曲操作レバー１３を操作することにより、図３の紙面に沿う方向に任意の角度だけ屈曲させることができる。挿入管部１１内には、流体を通すためのチューブ類は配置されていない。
【００２２】
シース装置２０は、内視鏡１０の挿入管部１１に緩く被嵌されるシース部２１の基端に、内視鏡１０の操作部１２に対し係脱自在に連結される連結アダプタ部２２が取り付けられた構成を有している。
【００２３】
シース部２１は、硬質パイプ部２１Ｈの先端に可撓管部２１Ｆが真っ直ぐに連結されたものであり、可撓管部２１Ｆ以外の部分を構成する硬質パイプ部２１Ｈは、ステンレスパイプ等のような硬質パイプで形成されている。２１Ｃは、硬質パイプ部２１Ｈと可撓管部２１Ｆとの連結部である。
【００２４】
連結アダプタ部２２には、図示されていない吸引チューブを接続するための吸引口金２３と、図示されていない送水チューブを接続するための送水口金２４とが各々突出して設けられている。それらの詳細については後述する。
【００２５】
このように構成されたシース装置２０は、図４に示されるように内視鏡１０に対し着脱自在に取り付けられ、連結アダプタ部２２が操作部１２に連結されることにより、シース装置２０のシース部２１が、内視鏡１０の挿入管部１１に被嵌された状態になる。
【００２６】
ただしそのためには、図５に示されるように、まず操作部１２からカバー環１４を取り外して、操作部１２の端部に設けられている取付台座部１５に連結アダプタ部２２を嵌合させる手順がとられる。１６と２８は、取付台座部１５に嵌合した連結アダプタ部２２が軸線方向に抜け出さないように、互いに係合する係合ピンと係合溝である。
【００２７】
シース部２１は、連結アダプタ部２２に対しねじ込みにより着脱自在である。具体的には、シース部２１の基端に設けられた雄ねじ管部２６が、連結アダプタ部２２の端部に設けられたシース取付筒体２５に対して螺合／分離自在な構成になっている。
【００２８】
２７は、その螺脱操作を行う際に指先で把持するための摘まみである。なお、シース取付筒体２５は連結アダプタ部２２に対して軸線方向に一定範囲だけ可動に構成されており、その詳細については後述する。
【００２９】
図６は、シース装置２０の構造を詳細に示している。可撓管部２１Ｆは、例えば四フッ化エチレン樹脂チューブ等のような可撓性チューブで形成されており、内視鏡１０の湾曲部１１Ｂの屈曲動作に追従して屈曲するように、内視鏡１０の湾曲部１１Ｂより少し長めに形成されている。ただし、少なくとも湾曲部１１Ｂに被嵌される部分全体が、可撓管部２１Ｆになるように形成されていればよい。
【００３０】
可撓管部２１Ｆは、例えば図７に拡大図示されるように、螺旋状の波形の断面形状等に形成することにより、可撓性を増大させることができる。ただし可撓管部２１Ｆは、吸引口金２３から吸引圧が作用した場合に、その吸引圧で潰れてしまわない程度の剛性を保有する必要がある。
【００３１】
そのような可撓管部２１Ｆと硬質パイプ部２１Ｈとの連結部２１Ｃは、例えば図８に示されるように、可撓管部２１Ｆの端部が硬質パイプ部２１Ｈの端部に重ね合わされて接着された部分を、ばね性のある連結リング２１ｃできつく締め付け固定した構成になっている。
【００３２】
図６に戻って、硬質パイプ部２１Ｈの基端には摘まみ２７が溶接等で強固に連結固定されている。雄ねじ管部２６は摘まみ２７と一体に形成されている。このようにして、シース部２１の先端面２１ａから雄ねじ管部２６までの部材が、一本の真っ直ぐな管状に形成されている。
【００３３】
連結アダプタ部２２内とシース取付筒体２５内は、内視鏡１０の挿入管部１１が支障なく隙間をあけて通過するように、シース部２１に対して真っ直ぐな貫通孔３１になっていて、吸引口金２３と送水口金２４とが、各々貫通孔３１に連通するように外方に突出して取り付けられている。
【００３４】
連結アダプタ部２２の基端（図６において右端）には、内視鏡１０の取付台座部１５に嵌合する嵌合孔３２が形成され、その側壁部分に前述の係合溝２８が形成されている。３３は、取付台座部１５との嵌合部を水密にシールするためのシール用のＯリングである。
【００３５】
円筒状に形成されているシース取付筒体２５は、軸線方向にスライド自在に連結アダプタ部２２側の受け孔に嵌合していて、その嵌合部に弾力性のあるシール用のＯリング３４が装着されている。
【００３６】
また、シース取付筒体２５の外周部には、軸線と平行方向に直進溝３５が形成され、連結アダプタ部２２側に設けられたガイドピン２９がその直進溝３５に係合して、シース取付筒体２５の軸線方向移動範囲を規制している（ストッパ手段２９，３５）。
【００３７】
シース部２１の基端側の雄ねじ管部２６と螺合するようにシース取付筒体２５の端部に形成された雌ねじ孔の奥端位置には、雄ねじ管部２６の先端で押圧されるシール用のＯリング３６が配置されて、その部分を水密にシールしている。
【００３８】
このような構成により、シース部２１の基端が着脱自在に取り付けられるシース取付筒体２５は、ガイドピン２９が直進溝３５と係合する範囲において連結アダプタ部２２に対し軸線方向にスライド自在である。
【００３９】
したがって、シース取付筒体２５に連結されたシース部２１が、シース取付筒体２５と共に軸線方向にスライドする。なお、そのスライド動作に対しては、押し潰された状態に装着されているＯリング３４によって適度な摩擦抵抗が付与される。
【００４０】
また、図９に示されるように、雄ねじ管部２６とシース取付筒体２５との螺合を解くことにより、シース部２１側を連結アダプタ部２２側と分離することができる。したがって、可撓管部２１Ｆが再使用できないほどに損傷した場合等には、高コストの連結アダプタ部２２側の部材を交換することなく、シース部２１側だけを交換することができ、優れた経済性を有する。
【００４１】
図６に示されるように、連結アダプタ部２２には、シース取付筒体２５を軸線方向に駆動操作することにより、シース部２１を連結アダプタ部２２に対し軸線方向に進退操作することができるシース進退操作レバー４０（操作レバー）が設けられている。
【００４２】
ピストルの引き金状に形成されたシース進退操作レバー４０は、連結アダプタ部２２に支持された支軸４１を中心に回動自在に連結アダプタ部２２に取り付けられており、図６に実線で記載されている待機位置にシース進退操作レバー４０を戻す板ばね４２（付勢手段）が設けられている。
【００４３】
弾力性に富むバネ材で略「て」の字状に曲げて形成された板ばね４２は、一端側がシース進退操作レバー４０の先端部分に連結されて、他端側がシース取付筒体２５に連結されており、二つのガイド部材４３が板ばね４２の中間領域に沿って連結アダプタ部２２に突設されている。
【００４４】
そのような構成により、シース進退操作レバー４０が待機状態にある時は、シース部２１が軸線方向可動範囲の後端位置にある。そして、矢印Ａで示されるように、シース進退操作レバー４０が板ばね４２の付勢力に抗して支軸４１を中心に回動操作されて二点鎖線で示された状態になると、板ばね４２が弾性変形して、矢印Ｂで示されるように、シース取付筒体２５が前方方向に押し出される。
【００４５】
そのようにして、直進溝３５内でガイドピン２９が移動できる範囲において、シース取付筒体２５が前方（図６において左方）に移動すると、それと共にシース部２１が軸線方向可動範囲の前方方向に移動する。
【００４６】
そして、シース進退操作レバー４０に加えられていた操作力が除かれると、板ばね４２の付勢力によって、シース進退操作レバー４０及びシース取付筒体２５が待機状態に戻って、シース部２１が元の位置に後退する。
【００４７】
図１と図２は、シース部２１内に内視鏡１０の挿入管部１１が通されて、連結アダプタ部２２の係合溝２８に、取付台座部１５の係合ピン１６が係合して係止された状態を示している。
【００４８】
この状態にするために、図１０に示されるように、Ｌ字状に形成された係合溝２８に係合ピン１６を係合させて、連結アダプタ部２２を軸線周り方向に回転させることにより、連結アダプタ部２２が取付台座部１５に対して軸線方向に移動できない状態になる。
【００４９】
図１１は、その状態において、挿入管部１１の先端面１１ａとシース部２１の先端面２１ａを正面から見た状態を示している。１１Ｖと１１Ｌは、挿入管部１１の先端面１１ａに配置されている観察窓と照明窓である。シース部２１内に通された挿入管部１１の外周面とシース部２１の内周面との間には隙間Δが形成され、その隙間Δが、送液や吸引等を行うための流路として利用される。
【００５０】
図１と図２に示されるように、シース部２１内に挿入管部１１が通された状態でシース進退操作レバー４０が操作されて、連結アダプタ部２２に対しシース取付筒体２５が軸線方向にスライドされ、シース部２１が挿入管部１１に対して軸線方向に移動すると、挿入管部１１の先端面１１ａに対するシース部２１の先端面２１ａの位置が変化する。
【００５１】
そのような動作において、シース部２１の先端面２１ａが、挿入管部１１の先端面１１ａの後方側に比べて前方側に大きく移動する。即ち、Ｑ＞Ｐである。シース部２１の先端面２１ａは、挿入管部１１の先端の観察窓１１Ｖを通して得られる内視鏡観察像の周辺部分がシース部２１により遮られた状態になる程度まで、挿入管部１１の先端面１１ａの前方側にＱだけ大きく移動させることができる。
【００５２】
図１２と図１３はそのような先端側の状態を示しており、内視鏡１０の挿入管部１１とシース装置２０のシース部２１が真っ直ぐな状態（図１２）及び屈曲した状態（図１３）のいずれの場合においても、シース進退操作レバー４０でシース部２１を連結アダプタ部２２に対し軸線方向に移動させる操作をすることによって、シース部２１の先端面２１ａが挿入管部１１の先端面１１ａより前方に位置する状態と後方に位置する状態になる。
【００５３】
即ち、操作者は、シース装置２０のシース部２１の先端面２１ａが内視鏡１０の挿入管部１１の先端面１１ａより前方に位置する状態と後方に位置する状態とを、シース進退操作レバー４０を操作することによりいつでも任意に選択することができる。
【００５４】
このようにして、シース部２１の先端面２１ａが挿入管部１１の先端面１１ａより後方に退避した状態をいつでも確保することができるので、周辺までの広範囲の観察が必要な場合等には、シース部２１で遮られることのない良好な内視鏡観察像を得ることができる。
【００５５】
また、シース部２１の先端面２１ａが挿入管部１１の先端面１１ａより前方に大きく突出した状態にすることができることにより、観察窓１１Ｖの表面が汚れた場合や、観察目標部が多量の体液中に潜ってしまっている場合等に、汚液や体液等を効果的に吸引除去することができる。
【００５６】
図１４はその一例を示しており、内視鏡観察中に挿入管部１１の先端面１１ａの周囲が体液１００中等に突入した場合には、シース部２１をスライドさせることなく、体液１００等を吸引除去することができる。
【００５７】
また、図１５に示されるように、特定の部位の体液１００等を除去したい場合には、シース進退操作レバー４０を操作することにより、シース部２１を挿入管部１１に対し大きく前方にスライドさせて先端面１１ａより突出させた状態にして、体液１００等を吸引除去することができる。
【００５８】
また、図１６に示されるように、特定部位の洗浄を行いたい場合には、やはりシース進退操作レバー４０を操作することにより、シース部２１を挿入管部１１に対し前方に大きくスライドさせた状態にして、シース部２１の先端面２１ａから送水を行うことにより任意に洗浄を行うことができる。
【００５９】
図１７に示されるように、挿入管部１１の先端面１１ａの先端に汚液２００等が付着して観察状態が悪化した場合には、シース進退操作レバー４０を操作することにより、シース部２１を挿入管部１１に対し大きく前方にスライドさせて内視鏡１０の挿入管部１１の先端面１１ａより突出させた状態にし、シース部２１の先端面２１ａから送水を行う。
【００６０】
そして、シース部２１の先端内に水を充満させてから、その水を吸引口金２３側から吸引することにより、図１８に示されるように、汚液２００も一緒に吸引除去されて、良好な観察状態にすることができる。
【００６１】
なお、本発明は上記実施例に限定されるものではなく、例えば図１９に示されるように、シース部２１の先端面２１ａの先端縁が径方向に内方に向けて窄まった形状（ただし、挿入管部１１の外周との間の隙間が確保される形状）に形成されていてもよい。このように構成すると、図１７に示される洗浄操作の際に、シース部２１の先端内に水を貯留し易くなる。
【００６２】
また、挿入管部１１の先端部分の内表面を粗面に形成して、水が貯留され易くなるようにしてもよい。
【符号の説明】
【００６３】
１０  内視鏡
１１  挿入管部
１１ａ  先端面
１１Ｂ  湾曲部
１１Ｈ  硬質部
１１Ｖ  観察窓
１２  操作部
１５  取付台座部
１６  係合ピン
２０  シース装置
２１  シース部
２１ａ  先端面
２１Ｆ  可撓管部
２１Ｈ  硬質パイプ部
２２  連結アダプタ部
２３  吸引口金
２４  送水口金
２５  シース取付筒体
２６  雄ねじ管部
２７  摘まみ
２８  係合溝
２９  ガイドピン（ストッパ手段）
３２  嵌合孔
３４  Ｏリング
３５  直進溝（ストッパ手段）
４０  シース進退操作レバー（操作レバー）
４１  支軸
４２  板ばね（付勢手段）
４３  ガイド部材
【図１】
2010259609.tif 000003
【図２】
2010259609.tif 000004
【図３】
2010259609.tif 000005
【図４】
2010259609.tif 000006
【図５】
2010259609.tif 000007
【図６】
2010259609.tif 000008
【図７】
2010259609.tif 000009
【図８】
2010259609.tif 000010
【図９】
2010259609.tif 000011
【図１０】
2010259609.tif 000012
【図１１】
2010259609.tif 000013
【図１２】
2010259609.tif 000014
【図１３】
2010259609.tif 000015
【図１４】
2010259609.tif 000016
【図１５】
2010259609.tif 000017
【図１６】
2010259609.tif 000018
【図１７】
2010259609.tif 000019
【図１８】
2010259609.tif 000020
【図１９】
2010259609.tif 000021